【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
追記型記録媒体上にスペア領域を割り当てる方法において、
記録媒体上にデータ領域を割り当てること、
前記データ領域内にユーザデータ領域と少なくとも一つの可変長スペア領域を割り当てることとを含み、
前記記録媒体上に割り当てられた少なくとも一つのスペア領域の最大の記録容量は、書き換え型ディスクが有する少なくとも一つの可変長スペア領域の最大の記録容量より小さいことを特徴とするスペア領域の割り当て方法。
【請求項２】
前記記録媒体は、追記型ブルーレイ・ディスク（ＢＤ−ＷＯ）であり、書き換え型ディスクは、書き換え型ブルーレイ・ディスク（ＢＤ−ＲＥ）であることを特徴とする請求項１に記載のスペア領域の割り当て方法。
【請求項３】
少なくとも一つの記録層を含む追記型記録媒体上にスペア領域を割り当てる方法において、
前記記録媒体の少なくとも一つの記録層上にデータ領域を割り当てること、
前記データ領域内にユーザデータ領域と少なくとも一つのスペア領域を割り当て、前記少なくとも一つのスペア領域は少なくとも一つの代替領域を有し、前記少なくとも一つの代替領域は可変長であってスペア領域の一部または全体から構成されること、
前記ユーザデータ領域に対する前記少なくとも一つの代替領域の最大の割合は５％より小さいことを特徴とするスペア領域の割り当て方法。
【請求項４】
前記少なくとも一つの記録層は単層（ｓｉｎｇｌｅ  ｌａｙｅｒ）であり、前記記録層は、ユーザデータ領域、インナースペア領域、アウタースペア領域を含み、
前記インナースペア領域は、予め決められた固定長であり、前記アウタースペア領域は、Ｎ×２５６クラスタにて割り当てられることを特徴とする請求項３に記載のスペア領域の割り当て方法。
【請求項５】
前記Ｎ値は、ゼロ（０）より大きく３２より小さいことを特徴とする請求項４に記載のスペア領域の割り当て方法。
【請求項６】
前記ユーザデータ領域に対するインナースペア領域およびアウタースペア領域全体の大きさの割合は約３％であることを特徴とする請求項５に記載のスペア領域の割り当て方法。
【請求項７】
前記Ｎ値は、ゼロ（０）より大きく６４より小さいことを特徴とする請求項４に記載のスペア領域の割り当て方法。
【請求項８】
前記ユーザデータ領域に対するインナースペア領域およびアウタースペア領域全体の大きさの割合は約４％であることを特徴とする請求項７に記載のスペア領域の割り当て方法。
【請求項９】
前記アウタースペア領域は、代替領域と欠陥管理情報を一時的に保存するための一時欠陥管理領域（ＩＤＭＡ）を含むことを特徴とする請求項４に記載のスペア領域の割り当て方法。
【請求項１０】
前記一時欠陥管理領域（ＩＤＭＡ）の大きさは、アウタースペア領域の１／４であることを特徴とする請求項９に記載のスペア領域の割り当て方法。
【請求項１１】
記録媒体の単層上にリードイン領域を割り当てることを含み、前記リードイン領域は、欠陥管理情報を一時的に保存するための一時欠陥管理領域（ＴＤＭＡ）を含むことを特徴とする請求項９に記載のスペア領域の割り当て方法。
【請求項１２】
前記少なくとも一つの記録層は、第１および第２の記録層を含み、前記第１の記録層は、第１のユーザデータ領域、第１のインナースペア領域、および第１のアウタースペア領域を含み、前記第２の記録層は、第２のユーザデータ領域、第２のインナースペア領域、および第２のアウタースペア領域を含み、
前記第１のインナースペア領域は、予め決められた大きさにて割り当てられ、前記第２のインナースペア領域は、Ｌ×２５６クラスタ（Ｌ＞＝０）の大きさにて割り当てられることを特徴とする請求項３に記載のスペア領域の割り当て方法。
【請求項１３】
前記第１のアウタースペア領域および第２のアウタースペア領域は、それぞれＮ×２５６クラスタ（Ｎ＞０）の大きさにて割り当てられることを特徴とする請求項１２に記載のスペア領域の割り当て方法。
【請求項１４】
前記第２のインナースペア領域、第１のアウタースペア領域、および第２のアウタースペア領域の少なくとも一方は、欠陥管理情報を保存するための一時欠陥管理領域（ＩＤＭＡ）を有することを特徴とする請求項１３に記載のスペア領域の割り当て方法。
【請求項１５】
前記一時欠陥管理領域（ＩＤＭＡ）の大きさは、当該インナースペア領域またはアウタースペア領域の１／４の大きさであることを特徴とする請求項１４に記載のスペア領域の割り当て方法。
【請求項１６】
第１の記録層にはリードイン領域を割り当て、第２の記録層にはリードアウト領域を割り当てることを含み、前記リードイン領域およびリードアウト領域の少なくとも一方は、欠陥管理情報を保存するための一時欠陥管理領域（ＴＤＭＡ）を有することを特徴とする請求項１４に記載のスペア領域の割り当て方法。
【請求項１７】
０＜Ｎ＜１６であり、０＜Ｌ＜３２であることを特徴とする請求項１３に記載のスペア領域の割り当て方法。
【請求項１８】
前記インナースペア領域およびアウタースペア領域全体の大きさは、最大としてユーザデータ領域全体の大きさの約３％であることを特徴とする請求項１７に記載のスペア領域の割り当て方法。
【請求項１９】
０＜Ｎ＜３２であり、０＜Ｌ＜６４であることを特徴とする請求項１３に記載のスペア領域の割り当て方法。
【請求項２０】
前記インナースペア領域およびアウタースペア領域内の代替領域全体の大きさは、最大としてユーザデータ領域全体の大きさの約４％であることを特徴とする請求項１９に記載のスペア領域の割り当て方法。
【請求項２１】
前記記録媒体は、追記型ブルーレイ・ディスク（ＢＤ−ＷＯ）であることを特徴とする請求項３に記載のスペア領域の割り当て方法。
【請求項２２】
追記型記録媒体上にスペア領域を割り当てる装置において、
記録媒体上にデータ領域を割り当てる手段と、
前記データ領域内にユーザデータ領域と少なくとも一つの可変長スペア領域を割り当てる手段と、からなり、
前記記録媒体上に割り当てられた少なくとも一つのスペア領域の最大の記録容量は、書き換え型ディスクが有する少なくとも一つの可変長スペア領域の最大の記録容量より小さいことを特徴とするスペア領域の割り当て装置。
【請求項２３】
少なくとも一つの記録層を含む追記型記録媒体上にスペア領域を割り当てる装置において、
前記記録媒体の少なくとも一つの記録層上にデータ領域を割り当てる手段と、
前記データ領域内にユーザデータ領域と少なくとも一つのスペア領域を割り当てる手段とからなり、
前記少なくとも一つのスペア領域は少なくとも一つの代替領域を有し、前記少なくとも一つの代替領域は可変長であってスペア領域の一部または全体から構成され、
前記ユーザデータ領域に対する前記少なくとも一つの代替領域の最大の割合は５％より小さいことを特徴とするスペア領域の割り当て装置。
【請求項２４】
追記型記録媒体において、
記録媒体上に割り当てられ、ユーザデータ領域および少なくとも一つの可変長スペア領域を含むデータ領域を含み、
前記記録媒体上に割り当てられた少なくとも一つのスペア領域の最大の記録容量は、書き換え型ディスクが有する少なくとも一つの可変長スペア領域の最大の記録容量より小さいことを特徴とする記録媒体。
【請求項２５】
前記記録媒体は、追記型ブルーレイ・ディスク（ＢＤ−ＷＯ）であり、書き換え型ディスクは、書き換え型ブルーレイ・ディスク（ＢＤ−ＲＥ）であることを特徴とする請求項２４に記載の記録媒体。
【請求項２６】
追記型記録媒体において、
少なくとも一つの記録層と、
前記少なくとも一つの記録層上に割り当てられるデータ領域とを含み、
前記データ領域はユーザデータ領域と少なくとも一つのスペア領域を含み、前記少なくとも一つのスペア領域は少なくとも一つの代替領域を有し、前記少なくとも一つの代替領域は可変長であってスペア領域の一部または全体から構成され、
前記ユーザデータ領域に対する前記少なくとも一つの代替領域の最大の割合は５％より小さいことを特徴とする記録媒体。